(57)【要約】【課題】  バリアンスの発生頻度が低く診療効果が高いクリニカルパスの改善を目指し、クリニカルパスの効果的な改善案を提示するクリニカルパス改善案提示システムを提供する。【解決手段】  電子カルテデータベース１０２のデータを用いて、階層構造的にバリアンス発生原因を、バリアンスが発生した事例毎に記述した個別事例分析結果を個別事例分析結果構築手段１０４にて構築する。次に、類似事例抽出手段１０７にて、個別事例分析結果の階層構造的な類似性に着目して、現在直面しているバリアンスに類似した過去のバリアンス分析事例を抽出する。最後に、抽出したバリアンス分析事例を解決するためのクリニカルパス改善履歴を抽出して出力手段１０９に表示する。これにより、クリニカルパス改善案提示システムを実現する。【選択図】  図１
2011100368.tif 000002
【特許請求の範囲】
【請求項１】
標準的な診療計画であるクリニカルパスと実際の診療との差異であるバリアンスを活用して、バリアンス発生防止のためのクリニカルパス改善案を提示するクリニカルパス改善案提示システムであって、入力手段及び出力手段及び処理装置を備え、
前記入力手段では、着目バリアンスの入力を受け付け、
前記処理装置は、
標準的な診療計画を記述したクリニカルパスデータと、バリアンスを記録したバリアンスデータと、クリニカルパスの改善案であるクリニカルパス改善履歴データとを、接続された電子カルテデータベースから取得する電子カルテ連携手段と、
前記電子カルテ連携手段により取得した前記クリニカルパスデータと前記バリアンスデータから、階層構造的にバリアンス因果関係をバリアンス発生事例毎に記述した個別事例分析結果を構築する個別事例分析結果構築手段と、
前記入力手段を通じて選択した着目バリアンスの発生原因に類似した過去のバリアンスを、前記個別事例分析結果の階層構造類似性に着目して抽出し、抽出したバリアンスの発生を防止するクリニカルパス改善履歴を、前記電子カルテ連携手段を介して抽出する類似事例抽出手段とを有し、
前記出力手段は、前記類似事例抽出手段にて抽出した前記クリニカルパス改善履歴を、前記着目バリアンスのクリニカルパス改善案として出力することを特徴とするクリニカルパス改善案提示システム。
【請求項２】
請求項１に記載のクリニカルパス改善案提示システムにおいて、
類似事例抽出手段では、
着目バリアンスの発生原因に類似した過去のバリアンスを抽出する基準となる類似度を、
バリアンスの発生原因の項目が一致するほど類似度が高くなるように、さらに発生原因の因果関係を構成する組が一致する割合が高いほど類似度が高くなるように、さらに発生原因の項目は一致するが該発生原因が間接要因である場合は類似度が低くなるように算出し、
前記類似度を評価指標として着目バリアンスの発生原因に類似したバリアンスを抽出することを特徴とするクリニカルパス改善案提示システム。
【請求項３】
請求項２に記載のクリニカルパス改善案提示システムにおいて、
前記電子カルテ連携手段では、患者に対して実施した診療行為の履歴や、診療行為の種類を記述したオーダ属性の履歴や、患者状態に関する経過記録の履歴を記述した実施記録データを、電子カルテデータベースからデータを取得し、
前記処理装置は、
前記電子カルテ連携手段により取得した前記実施記録データから、相関ルールマイニングによって、結論部にバリアンスを含む相関ルールを生成する相関ルール生成手段を備え、
前記個別事例分析結果構築手段では、
前記相関ルール生成手段にて生成した前記相関ルールの前提部を前記バリアンス発生原因として抽出し、
前記類似事例抽出手段では、
前記相関ルールの前提部の構成要素である診療行為におけるオーダ属性を前記クリニカルパスデータから抽出し、
着目バリアンスの発生原因に類似した過去のバリアンスを抽出する基準となる類似度を、オーダ属性が一致するほど類似度が高くなるように算出することを特徴とするクリニカルパス改善案提示システム。
【請求項４】
請求項２に記載のクリニカルパス改善案提示システムにおいて、
前記処理装置は、
前記電子カルテ連携手段により取得した前記クリニカルパスデータから、診療行為パターンの類似度であるパス類似度を算出するパス類似度算出手段を備え、
前記類似事例抽出手段では、
着目バリアンスが発生したクリニカルパス１と、類似した過去のバリアンスが発生したクリニカルパス２を抽出し、
着目バリアンスの発生原因に類似した過去のバリアンスを抽出する基準となる類似度を、
クリニカルパス１とクリニカルパス２におけるパス類似度が一致するほど、類似度が高くなるように算出することを特徴とするクリニカルパス改善案提示システム。
【請求項５】
請求項１に記載のクリニカルパス改善案提示システムにおいて、
前記処理装置は、
医療の質を測定した数値であるクオリティインディケータをクリニカルパスのバージョン毎に算出するクオリティインディケータ算出手段を備え、
前記類似事例抽出手段では、前記クオリティインディケータの改善効果が高い前記クリニカルパス改善履歴を抽出することを特徴とするクリニカルパス改善案提示システム。
【発明の詳細な説明】
【技術分野】
【０００１】
本発明は、医療分野における病院情報システム技術に係り、特に、標準的な診療計画であるクリニカルパスの改善案を提示するシステムに関する。
【背景技術】
【０００２】
医療の質の向上と効率化を推進する社会情勢の中で、診療の標準化を実現して医療の質の改善を図るために、標準的な診療計画を表したクリニカルパス（クリティカルパス、パスとも呼ばれる）が重要視されている。クリニカルパスを用いて医療の質の改善を図るためには、蓄積した診療データから抽出した根拠に基づいてクリニカルパスを改善する必要があるとされている。特に、クリニカルパスで記述された標準的な診療計画と実際の診療との差異であるバリアンスを収集して分析することで、バリアンスの発生頻度が低く診療効果が高いクリニカルパスの作成が実現できると考えられている。具体的には、在院日数・治療成績・コストなどの観点から、標準的な診療計画と異なる診療行為と臨床上望ましい成果および目標であるアウトカムが達成されなかったものをバリアンスとして抽出して分析を行う。
【０００３】
ここで、一般的なバリアンス分析に関連した従来例を示す。「非特許文献１」に記載されている方法（従来例１）では、まず、手術やICU(Intensive Care Unit)から一般病棟への移動など特定のイベントを予め設定する。次に、設定したイベントに対して、バリアンスの発生要因別など様々にスライシングしたバリアンスの発生頻度をグラフ表示する。
【０００４】
次に、患者に対する適合精度が高いクリニカルパスの作成を支援するシステムに関連した従来例を示す。「非特許文献２」に記載されている方法（従来例２）では、バリアンス分析をクリティカルパスの改善方法と捉え、バリアンスの発生要因毎に対応策を予め決め、改善策提案の短時間化を図っている。「特許文献１」（従来例３）に記載されている方法では、医療実績データに設定されている治療行為を治療行為予定として設定した仮パスと、患者識別子に基づいて取得した治療行為とを比較し、一致度が所定の基準を超えた仮パスを本クリティカルパスとして登録するシステムである。
【０００５】
次に、バリアンスが発生した要因分析に関連した従来例を示す。「特許文献２」（従来例４）に記載されている方法では、医療予定データが示す予定からはずれた時に、その想定要因の選択肢を提示するシステムである。ユーザは想定要因を、選択肢の中から選択するか、コメントとして入力する。これにより、要因として考えられるものを全て選択肢として予め用意する必要がなくなる。
【０００６】
【非特許文献１】バリアンスマネジメントシステム（ビイング・ネット・プレス）pp.26-27,pp.41-42
【非特許文献２】クリティカルパス最近の進歩２００８（じほう）pp.93-102
【特許文献１】特開２００７−２６５０８０号公報
【特許文献２】特開２００５−１８２３６２号公報
【発明の開示】
【発明が解決しようとする課題】
【０００７】
前記従来技術におけるバリアンス分析とクリニカルパス分析の課題について述べる。従来のバリアンス分析では、バリアンス分析をクリティカルパスの改善方法と捉えてはいるものの、具体的な方法に関する言及はなかった。これは、バリアンスの内容や発生頻度によって、改善すべき点や改善策が大きく異なるためである。そのため、診療効果が高いクリニカルパスの改善を実現するためには、豊富な経験が必要であった。
【０００８】
従来例１では、バリアンスの発生状況把握に留まっており、発生したバリアンスの対策を立案するためには、個々の事例について更に詳細な検討が必要であった。従来例２では、バリアンスの発生要因毎に約１０種類の対応策を予め決めているものの、病院で運用しているクリニカルパスは約１００種類あり、バリアンスの内容は更に多種多様であるため、パス改善策を検討するためには、豊富な経験が必要であった。
【０００９】
従来例３では、実績データに基づいた適合精度が高いクリニカルパスを作成することは可能である。しかし、実績データよりもより治療成績が優れた診療方法へ対応するためには、豊富な経験が必要であった。
【００１０】
従来例４では、バリアンスの要因として考えられるものを全て選択肢として予め用意していなくても、入力したコメントを新たな選択肢として追加することが可能であり、必要と考えられる選択肢を容易に用意することが可能である。しかし、入力した要因を用いたバリアンスやクリニカルパスの分析方法については十分な検討はされていない。また、バリアンスの直接的な原因を選択することは可能であるが、バリアンスが発生した構造的な問題のような根本原因の分析については十分な検討はされていない。
【００１１】
以上のように、診療効果が高いクリニカルパスへの改善を実現するためには、上述した従来例では十分な効果を得ることが困難であった。例えば、バリアンス分析の詳細な分析には、当事者でないと判断できない事が多いが、直面したバリアンスの類似事例における改善事例の活用や医療の質を向上するような分析など、病院全体を考慮した分析のためには、医療従事者の経験に頼る必要があった。
【００１２】
そこで本発明の目的は、バリアンスの発生頻度が低く診療効果が高いクリニカルパスへの改善を目指し、バリアンス分析結果を活用して、過去に実施した効果的なクリニカルパスの改善履歴を抽出し、直面しているクリニカルパス改善を支援するクリニカルパス改善案提示システムを提供することにある。
【課題を解決するための手段】
【００１３】
上記目的を達成するため、クリニカルパス改善案提示システムは、標準的な診療計画であるクリニカルパスと実際の診療との差異であるバリアンスを活用して、バリアンス発生防止のためのクリニカルパス改善案を提示するクリニカルパス改善案提示システムであって、入力手段及び出力手段及び処理装置を備え、前記入力手段では、着目バリアンスの入力を受け付け、前記処理装置は、標準的な診療計画を記述したクリニカルパスデータと、バリアンスを記録したバリアンスデータと、クリニカルパスの改善案であるクリニカルパス改善履歴データとを、接続された電子カルテデータベースから取得する電子カルテ連携手段と、前記電子カルテ連携手段により取得した前記クリニカルパスデータと前記バリアンスデータから、階層構造的にバリアンス因果関係をバリアンス発生事例毎に記述した個別事例分析結果を構築する個別事例分析結果構築手段と、前記入力手段を通じて選択した着目バリアンスの発生原因に類似した過去のバリアンスを、個別事例分析結果の階層構造類似性に着目して抽出し、抽出したバリアンスの発生を防止するクリニカルパス改善履歴を、前記電子カルテ連携手段を介して抽出する類似事例抽出手段とを有し、前記出力手段は、前記類似事例抽出手段にて抽出した前記クリニカルパス改善履歴を、前記着目バリアンスのクリニカルパス改善案として出力することを特徴とする。
【００１４】
また、クリニカルパス改善案提示システムにおいて、類似事例抽出手段では、着目バリアンスの発生原因に類似した過去のバリアンスを抽出する基準となる類似度を、バリアンスの発生原因の項目が一致するほど類似度が高くなるように、さらに発生原因の因果関係を構成する組が一致する割合が高いほど類似度が高くなるように、さらに発生原因の項目は一致するが該発生原因が間接要因である場合は類似度が低くなるように算出し、前記類似度を評価指標として着目バリアンスの発生原因に類似したバリアンスを抽出することを特徴とする。
【００１５】
さらに、クリニカルパス改善案提示システムにおいて、前記電子カルテ連携手段では、患者に対して実施した診療行為の履歴や、診療行為の種類を記述したオーダ属性の履歴や、患者状態に関する経過記録の履歴を記述した実施記録データを、電子カルテデータベースからデータを取得し、前記処理装置は、前記電子カルテ連携手段により取得した前記実施記録データから、相関ルールマイニングによって、結論部にバリアンスを含む相関ルールを生成する相関ルール生成手段を備え、前記個別事例分析結果構築手段では、前記相関ルール生成手段にて生成した前記相関ルールの前提部を前記バリアンス発生原因として抽出し、前記類似事例抽出手段では、前記相関ルールの前提部の構成要素である診療行為におけるオーダ属性を前記クリニカルパスデータから抽出し、着目バリアンスの発生原因に類似した過去のバリアンスを抽出する基準となる類似度を、オーダ属性が一致するほど類似度が高くなるように算出することを特徴とする。
【００１６】
また、クリニカルパス改善案提示システムにおいて、前記処理装置は、前記電子カルテ連携手段により取得した前記クリニカルパスデータから、診療行為パターンの類似度であるパス類似度を算出するパス類似度算出手段を備え、前記類似事例抽出手段では、着目バリアンスが発生したクリニカルパス１と、類似した過去のバリアンスが発生したクリニカルパス２を抽出し、着目バリアンスの発生原因に類似した過去のバリアンスを抽出する基準となる類似度を、クリニカルパス１とクリニカルパス２におけるパス類似度が一致するほど、類似度が高くなるように算出することを特徴とする。
【００１７】
さらに、クリニカルパス改善案提示システムにおいて、前記処理装置は、  医療の質を測定した数値であるQuality Indicatorをクリニカルパスのバージョン毎に算出するQuality Indicator算出手段を備え、前記類似事例抽出手段では、前記Quality Indicator の改善効果が高い前記クリニカルパス改善履歴を抽出することを特徴とする。
【発明の効果】
【００１８】
本発明によれば、バリアンスの発生頻度が低く診療効果が高いクリニカルパスの改善を目指し、バリアンス分析結果を活用して、過去に実施した効果的なクリニカルパスの改善履歴を抽出し、直面しているクリニカルパス改善を支援するクリニカルパス改善案提示システムを提供することが可能になる。
【発明を実施するための最良の形態】
【００１９】
以下、本発明の実施例について、図面を参照して詳述する。
【実施例１】
【００２０】
図１は、電子カルテシステムと、本発明におけるクリニカルパス改善案提示システムの構成図である。図１に示す電子カルテシステムは、電子カルテ入出力手段１００と、電子カルテ制御手段１０１と、電子カルテデータベース１０２から構成される。クリニカルパス改善案提示システムは、電子カルテ連携手段１０３と、個別事例分析結果構築手段１０４と、個別事例分析結果データベース１０５と、パス改善データベース１０６と、類似事例抽出手段１０７と、画面構成処理手段１０８と、出力手段１０９と、入力手段１１０から構成される。
【００２１】
本構成のハードウエア構成について述べる。図２に、電子カルテシステムと、本発明におけるクリニカルパス改善案提示システムを実現するハードウエア構成図を示す。電子カルテデータベース１０２は、HDD（Hard  Disk  Drive）装置に代表される外部記憶装置２０１４などにより構成される。同様に、個別事例分析結果データベース１０５とパス改善データベース１０６は、外部記憶装置２０２４などにより構成される。電子カルテ制御手段１０１は、中央処理装置２０１３やメモリ２０１２などにおいて、所定のプログラムが展開・起動することで各種の処理を実現することができる。同様に、電子カルテ連携手段１０３と個別事例分析結果構築手段１０４と類似事例抽出手段１０７と画面構成処理手段１０８は、中央処理装置２０２３やメモリ２０２２などにおいて、所定のプログラムが展開・起動することで各種の処理を実現することができる。出力手段１０９は、液晶ディスプレイ２０２１やCRT（Cathode−Ray  Tube）などを利用したモニタにより実現することができる。また、紙などの媒体に出力してもよい。入力手段１１０は、キーボード２０２０やマウスやペンタブレットにより実現することができる。同様に、電子カルテ入出力手段１００は、液晶ディスプレイ２０１１とキーボード２０１０などにより実現することができる。ここでは、電子カルテシステムとクリニカルパス改善案提示システムを異なるハードウエアで構成した図を示したが、キーボード２０１０とキーボード２０２０のように共通するハードウエアを、同一資源を用いて実現してもよい。
【００２２】
図３に、クリニカルパス改善案提示システムの概要を示したフローチャートを示す。まず始めに、着目していないバリアンスである対象バリアンスが発生した根本原因分析を行うために、個別事例分析画面を出力手段１０９に提示すると、ユーザは入力手段１１０を介してバリアンスが発生した事例毎に全てのバリアンス発生原因を、個別事例分析結果として個別事例分析結果構築手段１０４にて構築し、構築結果を個別事例分析結果データベース１０５に蓄積する（Ｓ３０１）。次に、着目している着目バリアンスの根本原因分析を行うために、個別事例分析画面を出力手段１０９に提示すると、ユーザは入力手段１１０を介してバリアンス発生原因を、個別事例分析結果として個別事例分析結果構築手段１０４にて構築し、構築結果を個別事例分析結果データベース１０５に蓄積する（Ｓ３０２）。次に、Ｓ３０１にて分析した対象バリアンスの中で、Ｓ３０２にて分析した着目バリアンスに類似したバリアンスを、類似事例抽出手段１０７にて抽出する（Ｓ３０３）。次に、Ｓ３０３にて抽出したバリアンスにおけるパス改善履歴を、パス改善データベース１０６から抽出し、出力手段１０９に提示する（Ｓ３０４）。なお、パス改善データベース１０６には、電子カルテ連携手段１０３にて取得したパス改善履歴に関するデータなどが蓄積される。電子カルテ連携手段１０３にて取得するデータの詳細は後術する。ユーザは提示されたパス改善履歴を参照して、着目バリアンスの改善案を検討し、入力手段１１０を介して検討結果をパス改善データベース１０６に登録する（Ｓ３０５）。ただし本実施例では、入力手段１１０を介して検討結果をパス改善データベース１０６に登録するようにしているが、電子カルテ入出力手段１００を介して電子カルテデータベース１０２に蓄積してもよい。
【００２３】
次に、電子カルテ連携手段１０３にて取得する情報ついて述べる。電子カルテ連携手段１０３では、電子カルテデータベース１０２から、クリニカルパスデータやバリアンスデータや実施記録データやクリニカルパス改善履歴データや患者データを取得する。実施記録データとは、患者に対して実施した診療行為の履歴や患者状態に関する経過記録や、患者の基本情報などに関するデータである。患者データとは、患者コードや適用したパス名や患者氏名、性別、年齢、在院日数などの指標に関するデータである。実施記録データの詳細は実施例２にて、患者データは実施例４にて述べる。
【００２４】
次に、クリニカルパスデータについて述べる。クリニカルパスデータとは、クリニカルパス毎に実施すべき標準的な診療行為や実施予定日を記したデータである。図４にクリニカルパスデータを記したクリニカルパスデータテーブルを示す。本実施例では、PCIパス（バージョン００１）の１日目の診療行為が、教育のオーダ属性を持つオリエンテーションと、アセスメントのオーダ属性を持つ血圧確認と、アセスメントのオーダ属性を持つ体温確認である様子を示している。次に、バリアンスに関するデータであるバリアンスデータについて述べる。図５に示すバリアンスデータは、バリアンステーブルとバリアンスコードマスタテーブルから構成される。バリアンスコードマスタテーブルでは、クリニカルパスデータテーブルの診療行為に対応したバリアンスとそのコードが記されている。またバリアンステーブルでは、バリアンスが発生した事例毎に、発生したバリアンス、患者名などが記されている。本実施例では、P0という患者には３つのバリアンスが発生している様子を示している。また、体温確認という診療行為に対して熱が３８度以上あった事例が２つあった様子も示している。次に、クリニカルパス改善履歴データについて述べる。図６にクリニカルパス改善履歴データテーブルを示す。本実施例では、TUR-Btパスのバージョン001において、血腫確認に関するバリアンスを防止するため、001から002にバージョンアップする際、体温38度以下の確認と安静指導を追加した様子を示している。また、白内障パスにおいて001から002にバージョンアップした際、ミドリンPの薬剤をアトロピンに変更した様子も示している。
【００２５】
ここで、個別事例の分析（Ｓ３０１）（Ｓ３０２）について詳細に述べる。図７に、詳細な処理フローを示す。ここでは、バリアンスが発生した根本原因の分析を目的に、バリアンスが発生した個別事例毎（Ｓ７０１）に、バリアンス因果関係の分析である個別事例分析を行う（Ｓ７０１−Ｓ７０７）。具体的には、個別事例分析結果構築手段１０４からメッセージを受けた画面構成処理手段１０８によって構成された画面を出力手段１０９に提示し、ユーザは提示された個別事例分析画面にて、入力手段１１０を介してバリアンス発生原因を入力する（Ｓ７０２−Ｓ７０５）。入力されたバリアンス発生原因を基に個別事例分析結果構築手段１０４が個別事例分析結果データベース１０５に格納する（Ｓ７０６）。
【００２６】
ここでユーザがバリアンス発生原因を入力する処理（Ｓ７０２−Ｓ７０５）について述べる。まず始めに個別事例分析結果構築手段１０４は、患者インデックスに対応する患者コードを持つレコードを、バリアンステーブルから取得する（Ｓ７０２）。次に、以下に示す二つの方法を用いて、ユーザはバリアンス発生原因を入力する。一つ目の方法では、Ｓ７０２にて取得したバリアンスを、分析対象バリアンスの発生原因としてユーザが選択して入力する（Ｓ７０３）。二つ目の方法では、分析対象バリアンスの発生原因を自由文でテキスト入力する（Ｓ７０４）。これらの作業を、分析対象バリアンスの発生原因を全て入力するまで繰り返す（Ｓ７０５）。
【００２７】
ここで、個別事例の分析Ｓ３０１、Ｓ３０２における出力手段１０９に表示される画面構成について述べる。図８に、Ｓ３０２における着目バリアンスの個別事例分析の様子を示す。図８に示す画面は、条件設定部８０１と保存ボタン８０１１と改善案提示ボタン８０１２とバリアンス発生原因分析構築部８０２から構成される。まず、Ｓ３０１では対象バリアンスが、Ｓ３０２では着目バリアンスが、条件設定部８０１に反映される。また分析対象患者は、Ｓ７０１で設定した患者インデックスに対応する患者コードが提示される。本実施例では、PCIパスの出血確認という診療行為に対して、Ｐ１という患者が出血というバリアンスが発生した因果関係を、バリアンス発生原因分析構築部８０２にて分析している様子を示している。ここでは、カテーテル挿入失敗や３８度以上というバリアンスが、分析対象バリアンスである出血の発生原因としてバリアンステーブルから登録している様子を示している。このようにバリアンス発生原因分析構築部８０２に発生原因を入力した後、ユーザが保存ボタン８０１１を押下すると、バリアンス因果関係を個別事例分析結果データベース１０５に格納する。
【００２８】
図９に個別事例分析結果データベース１０５における個別事例分析結果テーブルを示す。本例では、図８で入力したバリアンス発生原因が登録された様子を示している。出身フラグとは、発生原因テキストがバリアンステーブルから取得した場合（Ｓ７０３）は１を、ユーザが適すと入力した場合（Ｓ７０４）は０となるように設定した。本例では、出身フラグが１である項目は、分析対象バリアンスである「出血」と、Ｓ８０３にてバリアンステーブルから取得した「カテーテル挿入失敗」と「体温３８度以上」である様子を示している。
【００２９】
次に、着目バリアンスに類似したバリアンス抽出処理（Ｓ３０３）について詳細に述べる。過去に分析したバリアンスの中から、着目バリアンスに類似したバリアンスを抽出するために、Ｓ３０１とＳ３０２で行った個別事例分析結果の構造類似性に着目した指標（類似度Ｅ（Ｙ））を用いることとした。
【００３０】
そこで、まず、本方式を実現するための類似度Ｅ（Ｙ）の定義について述べる。まず、個別事例分析結果における要素（発生原因）間の因果関係を考慮した構造が多く一致している場合は、類似していると考えられる。ただし、個別事例分析はユーザが構築するため、同じ現象であっても個別事例分析結果の構造が異なることがある。例えば、ある事例ではＡの原因はＢであるが、別の類似した事例ではＡの原因はＣで、Ｃの原因はＢである場合がある。そのため、因果関係の部分構造が完全に一致した場合のみ類似度が高いと定義すると、同じ現象であっても類似度が低くなることがある。そこで、因果関係の部分構造が完全に一致していなくても、個別事例分析結果における要素項目が一致していれば、類似度を高くすることとする。ただし、構造が異なるほど類似度を低くするために、発生原因の項目は一致するが該発生原因が間接要因である場合は類似度を低くすることとした。
【００３１】
図１０に、類似バリアンス抽出処理（Ｓ３０３）の詳細なフローチャートを示す。本フローチャートでは、まず、着目しているバリアンスの個別事例分析結果の構造とその頻度を登録する（Ｓ３０３０１−Ｓ３０３０４）。そして、抽出対象となる全てのバリアンスに対して、個別事例分析結果の構造とその頻度を登録し（Ｓ３０３０６−Ｓ３０３０９）、（数１）に従って類似度Ｅ（Ｙ）を算出する（Ｓ３０３１０）。最後に、類似度Ｅ（Ｙ）が閾値より高い対象バリアンスを、類似バリアンスとして抽出する（Ｓ３０３１１）。（数１）では、「個別事例分析結果における要素項目が一致していれば、類似度を高くする」という概念は因果関係に着目した再帰的加算とする事に、「因果関係の部分構造が完全に一致していなくても、個別事例分析結果における要素項目が一致していれば、類似度を高くする」は子供の類似度E(A(Ra))を加算する事に、「要素項目が間接要因である場合は類似度を低くする」という概念は１／αの乗算を加える事に反映した。
【００３２】
ここで、図８、図１１、図１２、図１３、図１４を用いて、それぞれの処理について詳細に述べる。図８では、Ｓ３０２にて着目バリアンスであるPCIパスの出血というバリアンスに関する個別事例分析結果を示している。まずＳ３０３０１−Ｓ３０３０４について詳細に述べる。ここでは、着目バリアンスの個別事例分析結果の構造とその頻度を登録する。登録した様子を図１１に示す。まず、着目バリアンスの個別事例分析結果における因果関係を、Riに登録する（iは因果関係の識別子）（Ｓ３０３０１）。次に、着目バリアンスの個別事例分析における因果関係Riの頻度を、X(Ri)に登録する（Ｓ３０３０２）。本実施例では、着目バリアンスが1症例のみしか発生していないため、「０」か「１」しか登録されない。次に、着目バリアンスの個別事例分析の要素Vにおける発生原因を、Rc(V)jに登録する（jは発生原因の識別子、Vは結論部）（Ｓ３０３０３）。本実施例では、図８においてバリアンスが発生した発生原因が「シース自然抜去」「カテーテル挿入失敗」「38度以上」であるため、これら3項目をバリアンスＶの発生原因としてRc(V)jに登録する。次に、着目バリアンスの発生数をNxに登録する（Ｓ３０３０４）。本実施例では、着目バリアンスが1症例のみしか発生していないため、「１」が登録される。
【００３３】
次に、Ｓ３０３０６−Ｓ３０３０９について詳細に述べる。ここでは、抽出対象となる全てのバリアンスに対して、個別事例分析結果の構造とその頻度をバリアンス毎に登録する。図１２と図１３では、抽出対象バリアンスであるTUR-Btパスの血腫ありというバリアンスに関する個別事例分析結果を示しており、例えば図１２では、患者Ｐ１１が血腫ありというバリアンスが発生した直接原因が、体位変動が多く、38度以上の熱があった様子を示している。まず、対象バリアンスの個別事例分析結果における因果関係を、Riに追加登録する（iは因果関係の識別子）（Ｓ３０３０６）。次に、対象バリアンスの個別事例分析における因果関係Riの頻度を、Y(Ri)に登録する（Ｓ３０３０７）。本実施例では、対象バリアンスが図１２と図１３に示す２症例のみしか発生していないため、「０」か「１」か「２」しか登録されない。次に、着目バリアンスの個別事例分析の要素Vにおける発生原因を、Rc(V)jに追加登録する（jは発生原因の識別子、Vは結論部）（Ｓ３０３０８）。本実施例では、図１２においてバリアンスが発生した直接要因が「体位変動が多い」「38度以上」であり、図１３においてバリアンスが発生した直接要因が「38度以上」であるため、Ｓ３０３０３にて登録した要素を考慮すると、「体位変動が多い」が新たにバリアンスＶの前提部としてRc(V)0に登録される。次に、対象バリアンスの発生数をNyに登録する（Ｓ３０３０９）。本実施例では、対象バリアンスが図１２と図１３の２症例発生しているため、「２」が登録される。このようにして個別事例分析結果の構造とその頻度を登録すると、（数１）に従って類似度E(Y)を算出し（Ｓ３０３１０）、類似度が高いバリアンスを抽出する（Ｓ３０３１１）。
【００３４】
本実施例では、図８の着目バリアンスにおける「抑制無し」の結果が「体位変動が多い」という因果関係が、図１２の対象バリアンスにも出てきているので、「因果関係の部分構造が完全に一致していなくても、個別事例分析結果における要素項目が一致していれば、類似度を高くする」という影響度の性質により、類似度向上に寄与している。一方、本関係がバリアンスの直接要因か否かという観点で図８と図１２の構造が異なるため、「要素項目が間接要因である場合は類似度を低くする」影響度の性質により、類似度低下に寄与している。
【００３５】
次に、Ｓ３０３にて抽出したバリアンスのパス改善履歴の提示（Ｓ３０４）における出力手段１０９へ表示される画面構成について、図１４を用いて説明する。本例は、パス改善案基本情報表示部１４０１とパス改善案提示部１４０２から構成される。本例では、Ｓ３０３にてTUR-Btパスの血腫ありというバリアンスの類似度が高いと判定され、図５のバリアンスコードマスタテーブルと図６のクリニカルパス改善履歴テーブルから、血腫確認に関するバリアンスを防止するために実施したTUR-Btパスの001から002にバージョンアップした様子を示す。これにより、血腫ありのバリアンスを防止するためには、体温38度以下の確認と安静指導を追加することが重要であることが分かる。このようにユーザはTUR-Btパスの改善例を参照することで、PCIパスにおける出血に関するバリアンスを防止するためにも、38度以下の確認と安静指導を追加する事が有効ではないかと考察することが可能になる。
【００３６】
このようにバリアンスの発生原因に着目して類似したバリアンスを抽出し、抽出したバリアンスの改善履歴を参照することで、直面しているクリニカルパス改善を支援する事が可能になる。
【実施例２】
【００３７】
図１５は、本発明におけるクリニカルパス改善案提示システムの構成図である。特に、同じ現象であっても個別事例分析結果の表現が異なる事例に対応する事を目的に、図１に示した構成図に相関ルール生成手段１１１と相関ルールデータベース１１２を新たに追加し、類似事例抽出手段１０７における類似バリアンスの抽出方法を変更したものである。相関ルール生成手段１１１は、図２に示す中央処理装置２０２３やメモリ２０２２などにおいて、所定のプログラムが展開・起動することで各種の処理を実現することができる。また相関ルールデータベース１１２は、図２に示す外部記憶装置２０２４などにより構成される。
【００３８】
本実施例に示すようなシステムを実現するためには、データ処理のフローチャートは図３と同じであるが、個別事例分析処理（Ｓ３０１、Ｓ３０２）と類似バリアンス抽出処理（Ｓ３０３）の詳細な処理が異なる。以下、相関ルール生成手段１１１について述べた後、個別事例分析処理について述べ、最後に類似バリアンス抽出処理の詳細な処理について述べる。
【００３９】
まず、相関ルール生成手段１１１について述べる。相関ルール生成手段１１１では、電子カルテ連携手段１０３を介して取得した実施記録テーブルなどから、アプリオリアルゴリズムに代表される相関ルールマイニング技術を用いて、バリアンスを結論部に持つ相関ルールを生成する。生成した相関ルールは、相関ルールデータベース１１２に蓄積される。図１６に、実施記録テーブルの例を示す。実施記録テーブルでは、患者コードP0に対して、4月5日に動脈マーキングをA1が実施している様子が記録されている。図１７に、相関ルール生成手段１１１にて生成される知識を示すテーブルの一例を示す。本実施例では、「出血確認」という診療行為に対して「出血」というバリアンスの発生と相関が高い事象を相関ルールとして記録しており、３つの相関ルールを示している。一つ目は、「３８度以上」の熱が発生した場合「出血」が起きるという相関ルールの確信度は９０％であることを表している。二つ目は、「カテーテル挿入失敗」になった場合「出血」が起きるという相関ルールの確信度は８５％であることを表している。三つ目は、「SpO2」が低下した場合「出血」が起きるという相関ルールの確信度は８０％であることを表している。
【００４０】
次に、個別事例の分析（Ｓ３０１、Ｓ３０２）の詳細な処理について、図１８のフローチャートを用いて述べる。ここでは、バリアンスが発生した根本原因分析を目的に、バリアンスが発生した個別事例毎（Ｓ１８０１）に、バリアンス因果関係の分析である個別事例分析を行う（Ｓ１８０１−Ｓ１８０８）。具体的には、個別事例分析結果構築手段１０４からメッセージを受けた画面構成処理手段１０８によって構成された画面を出力手段１０９に提示し、ユーザは提示された個別事例分析画面にて、入力手段１１０を介してバリアンス発生原因を入力する（Ｓ１８０２−Ｓ１８０６）。入力されたバリアンス発生原因データを基に個別事例分析結果構築手段１０４が個別事例分析結果データベース１０５に格納する（Ｓ１８０７）。図７のフローチャートと異なる点は、ユーザがバリアンス発生原因を入力する処理に「ユーザが設定した閾値以上の確信度をもつ相関ルールの原因知識条件を取り込む」（Ｓ１８０３）が追加され、ユーザがバリアンス発生原因を入力する方法が三つとなった点である。これにより、ユーザはより簡便にバリアンス発生原因を入力することが可能となる。
【００４１】
次に、個別事例の分析（Ｓ３０１、Ｓ３０２）における出力手段１０９に表示される画面構成について、相関ルール生成手段１１１の追加に着目して述べる。図１９は、出力手段１０９に表示される画面構成であり、図８に示した画面構成例にルール取り込みボタン８０１３が追加されている。本実施例でも、PCIパスの出血確認という診療行為に対して、Ｐ１という患者が出血というバリアンスが発生した原因をバリアンス発生原因分析構築部８０２にて分析している様子を示している。本例では、ユーザはルール取り込みボタン８０１３を押下することで、相関ルールデータベース１１２に蓄積されている相関テーブルから、確信度が８５％以上の相関ルールの原因知識条件である「３８度以上」と「カテーテル挿入失敗」がバリアンス発生原因分析構築部８０２に反映している様子を示している。
【００４２】
次に、類似バリアンス抽出処理（Ｓ３０３）の詳細な処理について、図２０のフローチャートを用いて述べる。図１０との違いは、同じ現象であっても個別事例分析結果の表現が異なる事例に対応する事を目的に、Ｓ３０３０２をＳ３０３０２１に、Ｓ３０３０７をＳ３０３０７１に、Ｓ３０３１０をＳ３０３１０１に変更した事である。まず変更したポイントについて簡単に述べる。相関ルールを用いて構築した個別事例分析の要素は、原因知識条件であることから（Ｓ１８０３）、相関ルールの前提部である。更に、相関ルールの前提部であるため、バリアンスコードマスタテーブルとクリニカルパスデータテーブルから、相関ルールを用いて構築された要素は、オーダ属性が関連づいている事が分かる。オーダ属性とは、診療行為の種類を記したものであるため、要素の表現が異なっても要素のオーダ属性が一致すれば、個別事例分析結果の表現が多少異なったとしてもある程度似ていると判断することができる。そのため、Ｓ３０３０２１とＳ３０３０７１では個別事例分析結果の因果関係の頻度を、オーダ属性の単位で数え上げる（Xo(Ri)、Yo(Ri)）ことを追加した。さらに、Ｓ３０３１０１では個別事例分析結果における要素の表現が異なったとしても、オーダ属性が同じであれば、ある程度類似度が高くなるように、（数２）に変更した。ただし、要素の表現が同じであるほうが類似度を高くすべきであるため、β（＜１）という係数を乗算することとした。
【００４３】
図１０との違いを説明するため、図８、図１２、図１３、図２１、図２２を用いてXo(Ri)、Yo(Ri)の具体的な値について述べる。図８が着目バリアンスにおける分析結果、図１２、図１３、図２１が対象バリアンスにおける分析結果である。Ｒ１に着目すると、前提部が「38度以上」結論部が「バリアンス」であるが、「38度以上」のオーダ属性は、バリアンスコードマスタテーブルとクリニカルパスデータテーブルから、「アセスメント」であることが分かる。図１２、図１３では、前提部が「38度以上」結論部が「バリアンス」という因果関係が存在するが、図２１では存在しない。しかし、図２１における因果関係は、オーダ属性の観点から、前提部が「アセスメント」、結論部が「バリアンス」となる。そのため、Xo(R1)は、図１２、図１３、図２１のいずれにも存在すると考え、「３」が登録されることが分かる。そのため（数２）においてSi(R1)の値が（数１）に比べて大きくなり、（数２）を用いる事でより類似しているということになる。
【００４４】
このように相関ルールに基づいて個別事例分析結果の要素におけるオーダ属性に着目する事によって、同じ現象であっても個別事例分析結果の表現が異なる事例においても類似バリアンスを抽出する事が可能となり、より効果的にクリニカルパス改善履歴抽出する事が可能になる。
【実施例３】
【００４５】
図２３は、本発明におけるクリニカルパス改善案提示システムの構成図である。特に、診療行為パターンが似ていればクリニカルパス改善履歴を参照すべきであると考えた。図２３は、図１に示した構成図にパス類似度算出手段１１３を新たに追加し、類似事例抽出手段１０７における抽出方法を変更したものである。パス類似度算出手段１１３は、図２に示す中央処理装置２０２３やメモリ２０２２などにおいて、所定のプログラムが展開・起動することで各種の処理を実現することができる。
【００４６】
本実施例に示すようなシステムを実現するためには、データ処理のフローチャートは図３と同じであるが、類似バリアンス抽出処理（Ｓ３０３）の詳細な処理が異なる。そこで、類似バリアンス抽出処理（Ｓ３０３）について、図２４のフローチャートを用いて述べる。図１０との違いは、類似度算出にパス類似度の概念を導入するために、Ｓ３０３１０からＳ３０３１０２に変更したことである。（数３）ではバリアンスXが発生したクリニカルパスと、バリアンスYが発生したクリニカルパスの診療行為パターンが似ているか否かを数値化したパス類似度D(X,Y)を算出し、パス類似度D(X,Y)の値が大きければ、類似度も大きくするようにした。パス類似度D(X,Y)とは、例えば（数４）のように、t日目に実施する診療行為iの実施回数に着目して算出する。算出例を、図２５に示すように保存してもよい。
【００４７】
このようにパス類似度に着目する事によって、ユーザが実施した個別事例分析結果が完全に一致していなくても、診療行為パターンが似ているクリニカルパス改善履歴を参照することが可能になる。
【実施例４】
【００４８】
図２６は、本発明におけるクリニカルパス改善案提示システムの構成図である。特に、より改善効果が高いクリニカルパス改善履歴の参照を可能とするため、図１に示した構成図にQuality Indicator算出手段１１４を新たに追加した。Quality Indicator算出手段１１４は、図２に示す中央処理装置２０２３やメモリ２０２２などにおいて、所定のプログラムが展開・起動することで各種の処理を実現することができる。
【００４９】
図２７に、本実施例に示すようなシステムを実現するためのデータ処理フローチャートを示す。図３に示したフローチャートとの違いは、抽出した過去バリアンスの中で、パス改善前後のQuality Indicator改善値が高い過去バリアンスを抽出する処理（Ｓ２７０４）を追加した事である。そこで、本処理について詳細に述べる。Quality Indicatorとは医療の質を測定した数値であり、臨床指標とも呼ばれており、平均在院日数や再入院率や褥瘡発生率などがある。図２８にQuality Indicatorを格納したQuality Indicatorテーブルと、その基となる患者データテーブルを示す。患者データテーブルには、電子カルテ連携手段１０３を介して電子カルテデータベース１０２から取得した情報を基に、平均在院日数や再入院率などのQuality Indicatorを、Quality Indicator算出手段１１４にて算出した結果を格納する。さらに、患者データテーブルから、パス毎にQuality Indicatorの平均値をQuality Indicator算出手段１１４にて算出し、Quality Indicatorテーブルに格納する。
【００５０】
このようにして算出した値を、出力手段１０９を介して出力した様子を図２９に示す。本画面例では、図８に示した画面構成例にQuality Indicator改善表示部８０３が追加されている。図２８に示したQuality Indicatorテーブルに基づいて、Quality Indicator改善値をQuality Indicator改善表示部８０３に表示する。本例では、TUR-Btパスはバージョンアップすることで、在院日数や再入院率の改善効果が高いが、白内障のバージョンアップでは改善効果が全く無い様子を示している。ユーザは本結果を参照する事でTUR-Btパスを選択し、改善案提示ボタン８０１２を押下すると、図１４に示すようにTUR-Btのパス改善履歴が表示される。
【００５１】
このようにクリニカルパスの各バージョンにおいてQuality Indicatorを算出し、その改善効果を考慮することで、より改善効果が高いクリニカルパス改善履歴の参照が可能になる。
【図面の簡単な説明】
【００５２】
【図１】本発明におけるクリニカルパス改善案提示システムの第一の構成図
【図２】本発明におけるクリニカルパス改善案提示システムのハードウエアの構成図
【図３】本発明においてクリニカルパス改善案提示システムに関する第一のフローチャート
【図４】本発明において電子カルテシステムにおけるクリニカルパスデータテーブルを表す図
【図５】本発明において電子カルテシステムにおけるバリアンステーブルとバリアンスコードマスタテーブルを表す図
【図６】本発明において電子カルテシステムにおけるクリニカルパス改善履歴テーブルを表す図
【図７】本発明において個別事例の分析処理に関する第一のフローチャート
【図８】本発明における着目バリアンスにおける個別事例の分析処理における画面を示す第一の例
【図９】本発明においてクリニカルパス改善案提示システムにおける個別事例分析結果テーブルを表す図
【図１０】本発明において類似バリアンス抽出処理に関する第一のフローチャート
【図１１】本発明においてクリニカルパス改善案提示システムにおける類似度の算出過程におけるメモリイメージを表す第一の例
【図１２】本発明における対象バリアンスにおける個別事例の分析処理における画面を示す第一の例
【図１３】本発明における対象バリアンスにおける個別事例の分析処理における画面を示す第二の例
【図１４】本発明におけるクリニカルパス改善案提示システムの画面を示す第一の例
【図１５】本発明におけるクリニカルパス改善案提示システムの第二の構成図
【図１６】本発明において電子カルテシステムにおける実施記録テーブルを表す図
【図１７】本発明においてクリニカルパス改善案提示システムにおける相関テーブルを表す図
【図１８】本発明において個別事例の分析処理に関する第二のフローチャート
【図１９】本発明における着目バリアンスにおける個別事例の分析処理における画面を示す第二の例
【図２０】本発明において類似バリアンス抽出処理に関する第二のフローチャート
【図２１】本発明における対象バリアンスにおける個別事例の分析処理における画面を示す第三の例
【図２２】本発明においてクリニカルパス改善案提示システムにおける類似度の算出過程におけるメモリイメージを表す第二の例
【図２３】本発明におけるクリニカルパス改善案提示システムの第三の構成図
【図２４】本発明において類似バリアンス抽出処理に関する第三のフローチャート
【図２５】本発明においてパス類似度テーブルを表す図
【図２６】本発明におけるクリニカルパス改善案提示システムの第四の構成図
【図２７】本発明においてクリニカルパス改善案提示システムに関する第二のフローチャート
【図２８】本発明において患者データテーブルとQuality Indicatorテーブルを表す図
【図２９】本発明における着目バリアンスにおける個別事例の分析処理における画面を示す第二の例
【図３０】数１を表す図
【図３１】数２を表す図
【図３２】数３を表す図
【図３３】数４を表す図
【符号の説明】
【００５３】
１００…電子カルテ入出力手段、１０１…電子カルテ制御手段、１０２…電子カルテデータベース、１０３…電子カルテ連携手段、１０４…個別事例分析結果構築手段、１０５…個別事例分析結果データベース、１０６…パス改善データベース、１０７…類似事例抽出手段、１０８…画面構成処理手段、１０９…出力手段、１１０…入力手段、１１１…相関ルール生成手段、１１２…相関ルールデータベース、１１３…パス類似度算出手段、１１４…Quality Indicator算出手段、２０１０…キーボード、２０１１…ディスプレイ、２０１２…メモリ、２０１３…中央処理装置、２０１４…外部記憶装置、２０２０…キーボード、２０２１…ディスプレイ、２０２２…メモリ、２０２３…中央処理装置、２０２４…外部記憶装置、８０１…条件設定部、８０１１…保存ボタン、８０１２…改善案提示ボタン、８０１３…ルール取り込みボタン、８０２…バリアンス発生原因分析構築部、１４０１…パス改善案基本情報表示部、１４０２…パス改善案提示部
【図１】
2011100368.tif 000003
【図２】
2011100368.tif 000004
【図３】
2011100368.tif 000005
【図４】
2011100368.tif 000006
【図５】
2011100368.tif 000007
【図６】
2011100368.tif 000008
【図７】
2011100368.tif 000009
【図８】
2011100368.tif 000010
【図９】
2011100368.tif 000011
【図１０】
2011100368.tif 000012
【図１１】
2011100368.tif 000013
【図１２】
2011100368.tif 000014
【図１３】
2011100368.tif 000015
【図１４】
2011100368.tif 000016
【図１５】
2011100368.tif 000017
【図１６】
2011100368.tif 000018
【図１７】
2011100368.tif 000019
【図１８】
2011100368.tif 000020
【図１９】
2011100368.tif 000021
【図２０】
2011100368.tif 000022
【図２１】
2011100368.tif 000023
【図２２】
2011100368.tif 000024
【図２３】
2011100368.tif 000025
【図２４】
2011100368.tif 000026
【図２５】
2011100368.tif 000027
【図２６】
2011100368.tif 000028
【図２７】
2011100368.tif 000029
【図２８】
2011100368.tif 000030
【図２９】
2011100368.tif 000031
【図３０】
2011100368.tif 000032
【図３１】
2011100368.tif 000033
【図３２】
2011100368.tif 000034
【図３３】
2011100368.tif 000035